(57)【特許請求の範囲】
【請求項１】
複数のスイベルが直列に連結されてなる主鉤素と、この主鉤素の一端に連結された第一フックと、この主鉤素から分岐する枝鉤素と、この枝鉤素の一端に連結された第二フックとを備えており、
上記主鉤素及び枝鉤素が金属材料からなるアシストフックアッセンブリー。
【請求項２】
上記枝鉤素が、主鉤素の長さ方向を軸として、この主鉤素に対して回転可能である請求項１に記載のアシストフックアッセンブリー。
【請求項３】
上記第一フックの高さ方向位置が、第二フックの高さ方向位置と異なる請求項１又は２に記載のアシストフックアッセンブリー。
【発明の詳細な説明】
【技術分野】
【０００１】
本発明は、ジギング等に用いられるアシストフックアッセンブリーに関する。詳細には、本発明は、複数のフックを備えたアシストフックアッセンブリーに関する。
【背景技術】
【０００２】
ジギングでは、ジグとメインフックとが用いられる。メインフックは通常、ジグのテールに取り付けられる。ジグのヘッドには、ライン（又はショックリーダー）が連結される。ラインが引かれることにより、ジグは水中でアクションを起こす。このアクションにより、フィッシュイーターはジグをベイトと勘違いしてこのジグに食いつく。このとき、メインフックがフィッシュイーターに刺さり、フィッシュイーターが釣り上げられる。
【０００３】
フッキング率の向上の目的で、メインフックとともにアシストフックが用いられることがある。図６は、従来のアシストフックアッセンブリー２が示された正面図である。このアッセンブリー２は、スプリットリング４、２本の鉤素６、８及び２つのフック１０、１２からなる。典型的な鉤素６、８は、アラミド繊維（登録商標「ケブラー」）からなる。フック１０、１２は、鉤素６、８の下端に連結されている。一方の鉤素６は、他方の鉤素８よりも短い。従って、一方のフック１０は、他方のフック１２よりも上方に位置する。フィッシュイーターがジグの上方に食いついたとき、一方のフック１０がこのフィッシュイーターに突き刺さる。フィッシュイーターがジグの下方に食いついたとき、他方のフック１２がこのフィッシュイーターに突き刺さる。高さ方向位置が異なる２つのフック１０、１２が用いられることにより、高いフッキング率が達成されうる。このアッセンブリー２では、太刀魚、サワラ等の歯が鋭いフィッシュイーターがジグに食いついたとき、この歯によって鉤素６、８が切断されることがある。
【０００４】
図７は、従来の他のアシストフック１４が示された正面図である。このアシストフック１４は、鉤素１６及びフック１８を備えている。鉤素１６は、４つのスイベル２０を備えている。このスイベル２０は、金属製である。歯が鋭いフィッシュイーターがジグに食いついたときでも、この鉤素１６の切断は生じない。
【発明の開示】
【発明が解決しようとする課題】
【０００５】
図７に示されたアシストフック１４では、フック１８は１つのみ存在するので、高いフッキング率は得られない。このアシストフック１４が２本用いられれば、高いフッキング率が達成されうる。しかし、スイベル２０からなる２本の鉤素１６が隣接すると、この鉤素１６同士が干渉を起こしやすい。この干渉により、フック１８の自由な動きが阻害される。さらに、互いのフック１８の高さ方向位置が異なるように２つのアシストフック１４が用いられる場合は、上方に位置するフック１８が他方のフック１８の鉤素１６と干渉しやすい。この干渉によっても、フック１８の自由な動きが阻害される。動きが阻害されたフック１８は、フィッシュイーターがジグに食いついたときに、フィッシュイーターの口に吸い込まれにくい。干渉は、フッキング率の低下を招来する。
【０００６】
本発明の目的は、鋭い歯によっても鉤素が切断されず、かつフックの動きが阻害されにくいアシストフックアッセンブリーの提供にある。
【課題を解決するための手段】
【０００７】
本発明に係るアシストフックアッセンブリーは、複数のスイベルが直列に連結されてなる主鉤素と、この主鉤素の一端に連結された第一フックと、この主鉤素から分岐する枝鉤素と、この枝鉤素の一端に連結された第二フックとを備える。
【０００８】
好ましくは、主鉤素及び枝鉤素は金属材料からなる。好ましくは、枝鉤素は、主鉤素の長さ方向を軸として、この主鉤素に対して回転可能である。好ましくは、第一フックの高さ方向位置は、第二フックの高さ方向位置とは異なる。
【発明の効果】
【０００９】
本発明に係るアシストフックアッセンブリーでは、主鉤素がスイベルからなるので、歯が鋭いフィッシュイーターがジグに食いついたときでも、この鉤素の切断が生じない。このアッセンブリーは２つのフックを備えるので、高いフッキング率が達成されうる。このアッセンブリーでは、第二フックが連結された枝鉤素が主鉤素から分岐しているので、干渉が生じにくい。このアッセンブリーではフックが自由に動きうるので、高いフッキング率が達成されうる。
【発明を実施するための最良の形態】
【００１０】
以下、適宜図面が参照されつつ、好ましい実施形態に基づいて本発明が詳細に説明される。
【００１１】
図１は、本発明の一実施形態に係るアシストフックアッセンブリー２２が示された正面図である。このアシストフックアッセンブリー２２は、主鉤素２４、枝鉤素２６、第一フック２８及び第二フック３０を備えている。枝鉤素２６は、主鉤素２４から分岐している。第一フック２８は、主鉤素２４の下端に連結されている。第二フック３０は、枝鉤素２６に連結されている。
【００１２】
主鉤素２４は、第一ボディ３２、第二ボディ３４、第三ボディ３６、第四ボディ３８、第一環４０、第二環４２、第一ビーズ４４、第二ビーズ４６、第一バー４８（図２参照）、第二バー５０及び第三バー５２からなる。第一環４０、第一ボディ３２及び第一バー４８は、第一スイベル５４を構成する。第一バー４８、第二ボディ３４及び第二バー５０は、第二スイベル５６を構成する。第二バー５０、第三ボディ３６及び第三バー５２は、第三スイベル５８を構成する。第三バー５２、第四ボディ３８及び第二環４２は、第四スイベル６０を構成する。この主鉤素２４では、４つのスイベル５４、５６、５８、６０が直列に連結されている。この主鉤素２４は、いわゆる「連結スイベル」である。スイベル５４、５６、５８、６０の数は２でもよく、３でもよく、５以上でもよい。ボディ３２、３４、３６、３８は、金属材料からなる。環４０、４２も、金属材料からなる。バー４８、５０、５２も、金属材料からなる。典型的な金属材料は、真鍮（黄道）である。
【００１３】
枝鉤素２６は、第五ボディ６２、第三環６４及び第四環６６からなる。第五ボディ６２、第三環６４及び第四環６６は、第五スイベル６８を構成する。枝鉤素２６が、２以上のスイベル６８からなってもよい。第五ボディ６２、第三環６４及び第四環６６は、金属材料からなる。典型的な金属材料は、真鍮（黄道）である。
【００１４】
図１から明らかなように、第一フック２８の高さ方向位置は、第二フック３０の高さ方向位置とは異なる。第二フック３０は、第一フック２８よりも上方に位置する。図１において両矢印Ｌで示されているのは、第一フック２８と第二フック３０との高さ方向距離である。第一フック２８の高さ方向位置が第二フック３０の高さ方向位置と同一であってもよい。第二フック３０が、第一フック２８の下方に位置してもよい。
【００１５】
図２は、図１のアシストフックアッセンブリー２２の一部が示された拡大断面図である。この図２には、第一ボディ３２、第二ボディ３４、第三ボディ３６、第一環４０、第三環６４、第一ビーズ４４、第二ビーズ４６、第一バー４８及び第二バー５０が示されている。
【００１６】
第一ボディ３２は、樽型である。第一ボディ３２は、中空である。第一ボディ３２は、上間口７０及び下間口７２を備えている。上間口７０及び下間口７２の内径は、小さい。第二ボディ３４、第三ボディ３６、第四ボディ３８（図１参照）及び第五ボディ６２の構成は、第一ボディ３２のそれと同一である。
【００１７】
第一環４０は、金属線の曲げ加工により形成されている。第一環４０は、アイ７６、軸７８及び張り出し部８０からなる。アイ７６の外径は、第一ボディ３２の上間口７０の内径よりも大きい。従って、アイ７６は第一ボディ３２に引き込まれない。軸７８は、上間口７０を貫通している。張り出し部８０は、第一ボディ３２に収容されている。張り出し部８０の外径は、上間口７０の内径よりも大きい。従って、張り出し部８０は第一ボディ３２から抜脱しない。第一ボディ３２は、第一環４０に対して回転しうる。この回転により、主鉤素２４の撚りが解消される。第二環４２（図１参照）、第三環６４及び第四環６６の構成は、第一環４０のそれと同一である。
【００１８】
第一バー４８は、軸８２と、上下一対の張り出し部８４、８６とからなる。軸８２は、第一ボディ３２の下間口７２を貫通している。軸８２はまた、第二ボディ３４の上間口８８を貫通している。一方の張り出し部８４は、第一ボディ３２に収容されている。この張り出し部８４の外径は、第一ボディ３２の下間口７２の内径よりも大きい。従って、張り出し部８４は第一ボディ３２から抜脱しない。他方の張り出し部８６は、第二ボディ３４に収容されている。この張り出し部８６の外径は、第二ボディ３４の上間口８８の内径よりも大きい。従って、張り出し部８６は第二ボディ３４から抜脱しない。第一ボディ３２は、第一バー４８に対して回転しうる。第二ボディ３４も、第一バー４８に対して回転しうる。この回転により、主鉤素２４の撚りが解消される。第二バー５０及び第三バー５２（図１参照）の構成は、第一バー４８のそれと同一である。
【００１９】
第一ビーズ４４は、中空である。第一ビーズ４４は、合成樹脂からなる。第一ビーズ４４には、第一バー４８が通されている。第一ビーズ４４の内径は、第一バー４８の外寸よりも大きい。第一ビーズ４４は、第一バー４８に対して回転しうる。第二ビーズ４６の構成は、第一ビーズ４４のそれと同一である。
【００２０】
第一バー４８は、第三環６４のアイ９０も貫通している。アイ９０は、第一ビーズ４４と第二ビーズ４６とに挟まれている。このアイ９０の内径は、第一バー４８の外寸に対して十分大きい。従って、第三環６４は第一バー４８に対して回転しうる。換言すれば、枝鉤素２６は、主鉤素２４の長さ方向を軸として、この主鉤素２４に対して回転可能である。ビーズ４４、４６は、回転時の摩擦抵抗を抑制する。
【００２１】
図３は、図１のアシストフックアッセンブリー２２の使用状態が示された正面図である。この図３には、アッセンブリー２２と共に、スナップスイベル９２及びジグ９４が示されている。スナップスイベル９２には、ジグ９４のアイ９６が連結されている。スナップスイベル９２にはまた、アッセンブリー２２の第一環４０が連結されている。図示されていないが、このスナップスイベル９２には、ライン（又はショックリーダー）が連結される。アッセンブリー２２が、ジグ９４のアイ９６に連結されてもよい。
【００２２】
ジギングでは、フィッシュイーターがジグ９４をベイトと勘違いし、このジグ９４に食いつく。このとき、第一フック２８又は第二フック３０がフィッシュイーターに突き刺さる。２つのフック２８、３０が存在することにより、高いフッキング率が達成される。このアッセンブリー２２では、主鉤素２４及び枝鉤素２６が金属製なので、太刀魚、サワラ等の歯が鋭いフィッシュイーターがジグ９４に食いついたときでも、この主鉤素２４及び枝鉤素２６が切断されない。
【００２３】
このアッセンブリー２２では、枝鉤素２６が主鉤素２４から分岐している。従って、枝鉤素２６が主鉤素２４と干渉し合わない。しかも、第二フック３０が主鉤素２４から離間して存在するので、この第二フック３０が主鉤素２４と干渉し合うこともない。このアッセンブリー２２では、第一フック２８及び第二フック３０の自由な動きが阻害されない。このフック２８、３０は、フィッシュイーターの口に吸い込まれやすい。このアッセンブリー２２により、高いフッキング率が達成される。
【００２４】
前述のように、枝鉤素２６は主鉤素２４に対して回転可能である。この枝鉤素２６に連結された第二フック３０は、フィッシュイーターの口に吸い込まれやすい。このアッセンブリー２２により、高いフッキング率が達成される。
【００２５】
フィッシュイーターがジグ９４の上側に食いついたときは、第二フック３０がこのフィッシュイーターに突き刺さる。一方、フィッシュイーターがジグ９４の中間部に食いついたときは、第一フック２８がフィッシュイーターに突き刺さる。位置が異なる２以上のフック２８、３０を備えることにより、高いフッキング率が達成される。フッキング率の観点から、第一フック２８と第二フック３０との距離Ｌ（図１参照）は１０ｍｍ以上が好ましく、１５ｍｍ以上がより好ましい。距離Ｌは、７０ｍｍ以下が好ましい。
【００２６】
図４は、本発明の他の実施形態に係るアシストフックアッセンブリー１０２が示された正面図である。このアッセンブリー１０２は、主鉤素１０４、枝鉤素１０６、第一フック１０８及び第二フック１１０を備えている。枝鉤素１０６は、主鉤素１０４から分岐している。第一フック１０８は、主鉤素１０４の下端に連結されている。第二フック１１０は、枝鉤素１０６に連結されている。
【００２７】
主鉤素１０４は、第一ボディ１１２、第二ボディ１１４、第三ボディ１１６、第四ボディ１１８、第一環１２０、第二環１２２、第一バー１２４、第二バー１２６及び第三バー１２８からなる。第一環１２０、第一ボディ１１２及び第一バー１２４は、第一スイベル１３０を構成する。第一バー１２４、第二ボディ１１４及び第二バー１２６は、第二スイベル１３２を構成する。第二バー１２６、第三ボディ１１６及び第三バー１２８は、第三スイベル１３４を構成する。第三バー１２８、第四ボディ１１８及び第二環１２２は、第四スイベル１３６を構成する。この主鉤素１０４は、いわゆる「連結スイベル」である。スイベルの数は２でもよく、３でもよく、５以上でもよい。ボディ１１２、１１４、１１６、１１８は、金属材料からなる。環１２０、１２２も、金属材料からなる。バー１２４、１２６、１２８も、金属材料からなる。典型的な金属材料は、真鍮（黄道）である。
【００２８】
ボディ１１２、１１４、１１６、１１８の構成は、図２に示された第一ボディ３２の構成と同等である。第二バー１２６及び第三バー１２８の構成は、図２に示された第二バー５０の構成と同等である。環１２０、１２２の構成は、図２に示された第一環４０の構成と同等である。
【００２９】
枝鉤素１０６は、第四バー１３８及び第三環１４０からなる。第四バー１３８及び第三環１４０は、金属材料からなる。典型的な金属材料は、真鍮（黄道）である。
【００３０】
図５は、図４のアシストフックアッセンブリー１０２の一部が示された拡大断面図である。このアッセンブリー１０２では、第一バー１２４、第四バー１３８及び第三環１４０は、一体的に形成されている。第四バー１３８は、第一バー１２４に対してほぼ垂直である。第一バー１２４は、軸１４２と、上下一対の張り出し部１４４、１４６とからなる。軸１４２は、第一ボディ１１２の下間口１４８を貫通している。軸１４２はまた、第二ボディ１１４の上間口１５０を貫通している。一方の張り出し部１４４は、第一ボディ１１２に収容されている。この張り出し部１４４の外径は、第一ボディ１１２の下間口１４８の内径よりも大きい。従って、張り出し部１４４は第一ボディ１１２から抜脱しない。他方の張り出し部１４６は、第二ボディ１１４に収容されている。この張り出し部１４６の外径は、第二ボディ１１４の上間口１５０の内径よりも大きい。従って、張り出し部１４６は第二ボディ１１４から抜脱しない。第一バー１２４は、第一ボディ１１２に対して回転しうる。第一バー１２４は、第二ボディ１１４に対しても回転しうる。この回転により、主鉤素１０４に対して枝鉤素１０６が回転しうる。
【００３１】
このアッセンブリー１０２も、図３に示されたアッセンブリー２２と同様、ジグ９４と共に用いられる。このアッセンブリー１０２では、主鉤素１０４及び枝鉤素１０６が金属製なので、太刀魚、サワラ等の歯が鋭いフィッシュイーターがジグ９４に食いついたときでも、この主鉤素１０４及び枝鉤素１０６が切断されない。このアッセンブリー１０２では、枝鉤素１０６が主鉤素１０４から分岐している。従って、枝鉤素１０６が主鉤素１０４と干渉し合わない。しかも、第二フック１１０が主鉤素１０４から離間して存在するので、この第二フック１１０が主鉤素１０４と干渉し合うこともない。
【００３２】
前述のように、枝鉤素１０６は主鉤素１０４に対して回転可能である。この枝鉤素１０６に連結された第二フック１１０は、フィッシュイーターの口に吸い込まれやすい。このアッセンブリー１０２により、高いフッキング率が達成される。
【００３３】
フィッシュイーターがジグ９４の上側に食いついたときは、第二フック１１０がこのフィッシュイーターに突き刺さる。一方、フィッシュイーターがジグ９４の中間部に食いついたときは、第一フック１０８がフィッシュイーターに突き刺さる。位置が異なる２以上のフック１０８、１１０を備えることにより、高いフッキング率が達成される。フッキング率の観点から、第一フック１０８と第二フック１１０との距離Ｌ（図４参照）は１０ｍｍ以上が好ましく、１５ｍｍ以上がより好ましい。距離Ｌは、７０ｍｍ以下が好ましい。
【産業上の利用可能性】
【００３４】
本発明に係るアシストフックアッセンブリーは、種々のフィッシュイーターをターゲットにした釣りに用いられうる。
【図面の簡単な説明】
【００３５】
【図１】図１は、本発明の一実施形態に係るアシストフックアッセンブリーが示された正面図である。
【図２】図２は、図１のアッセンブリーの一部が示された拡大断面図である。
【図３】図３は、図１のアシストフックアッセンブリーの使用状態が示された正面図である。
【図４】図４は、本発明の他の実施形態に係るアシストフックアッセンブリーが示された正面図である。
【図５】図５は、図４のアッセンブリーの一部が示された拡大断面図である。
【図６】図６は、従来のアシストフックアッセンブリーが示された正面図である。
【図７】図７は、従来の他のアシストフックが示された正面図である。
【符号の説明】
【００３６】
２２、１０２・・・アシストフックアッセンブリー
２４、１０４・・・主鉤素
２６、１０６・・・枝鉤素
２８、１０８・・・第一フック
３０、１１０・・・第二フック
３２、１１２・・・第一ボディ
３４、１１４・・・第二ボディ
３６、１１６・・・第三ボディ
３８、１１８・・・第四ボディ
４０、１２０・・・第一環
４２、１２２・・・第二環
４４・・・第一ビーズ
４６・・・第二ビーズ
４８、１２４・・・第一バー
５０、１２６・・・第二バー
５２、１２８・・・第三バー
５４、１３０・・・第一スイベル
５６、１３２・・・第二スイベル
５８、１３４・・・第三スイベル
６０、１３６・・・第四スイベル
６２・・・第五ボディ
６４、１４０・・・第三環
６６・・・第四環
６８・・・第五スイベル
９２・・・スナップスイベル
９２・・・ジグ
１３８・・・第四バー
【図１】
0004819525.tif 000002
【図２】
0004819525.tif 000003
【図３】
0004819525.tif 000004
【図４】
0004819525.tif 000005
【図５】
0004819525.tif 000006
【図６】
0004819525.tif 000007
【図７】
0004819525.tif 000008